(57)【要約】【課題】引き抜き難い構造を有するピンを使用し、強引にピンを取り除こうとする場合に履歴を残すことができる回路基板ケースを提供する。【解決手段】遊技機例えばスロットマシンに内蔵される遊技用回路基板を収容する回路基板ケース１は、主基板を搭載する基板ケース本体３と、基板ケース本体３を覆う基板ケース蓋部２と、回路基板ケース１を遊技機の筐体に固定する基板ベース５と、前記基板ケース本体３、基板ケース蓋部２及び基板ベース５を貫通して一体に固定するカシメピン６を備える。カシメピン６は、カシメピン６を引き抜こうとした際に折れ得る先端部６ａ及び基板ケース蓋部２を基板ベース５に向かって押圧する頭部６ｂとを有する。また、カシメピン６の先端部６ａ中央には切り欠き６ｃが形成されており、先端に向かってくさび形の形状を有する。なお、カシメピン６は、望ましくは合成樹脂により作製される。【選択図】　　　　図３
2004065791.tif 000002
【特許請求の範囲】
【請求項１】
遊技機に内蔵される遊技用回路基板を収容する回路基板ケースであって、
前記回路基板を搭載する基板ケース本体と、
この基板ケース本体の上部に載置され、前記基板ケース本体を覆う基板ケース蓋部と、
前記基板ケース本体の下部に設けられ、前記基板ケース本体及び基板ケース蓋部を前記遊技機の筐体に固定する基板ベースと、
前記基板ケース本体、基板ケース蓋部及び基板ベースを貫通して一体に固定するカシメピンであって、このカシメピンを引き抜こうとした際にその先端部が折れ得る先端部及び前記基板ケース蓋部を前記基板ベースに向かって押圧する頭部を有するカシメピンとを備えることを特徴とする、回路基板ケース。
【請求項２】
前記基板ベースに設けられ、前記カシメピンの先端部が折れた際にその先端部を収容するカバーをさらに備えることを特徴とする、請求項１に記載の回路基板ケース。
【請求項３】
前記基板ケース蓋部には前記カシメピンが挿入される開口部が形成され、この開口部の内径は、前記カシメピンの頭部の外径とほぼ等しいことを特徴とする、請求項１又は２に記載の回路基板ケース。
【請求項４】
前記カシメピンの先端部は、先端部中央に切り欠きを有するくさび形形状であることを特徴とする、請求項１〜３のいずれか１項に記載の回路基板ケース。
【請求項５】
前記カシメピンの先端部はくさび形形状であり、前記カシメピンの先端部にアンカーが形成されていることを特徴とする、請求項１〜３のいずれか１項に記載の回路基板ケース。
【請求項６】
前記カシメピンは、合成樹脂製であることを特徴とする、請求項１〜５のいずれか１項に記載の回路基板ケース。
【発明の詳細な説明】
【０００１】
【発明の属する技術分野】
本発明は、スロットマシンやパチンコ機等の遊技機に内蔵される遊技用回路基板を収容する回路基板ケースに関する。
【０００２】
【従来の技術】
遊技場の遊技機として、例えばスロットマシンあるいはパチンコ機がある。スロットマシンの場合を例にとれば、これは、遊技者が回転するリールの操作を行うものであって、３個のリールを同時にあるいは個々に回転させた後、停止させた時のリールに表示された絵柄の所要組み合わせの成否を楽しむ遊技機である。
【０００３】
図５は、スロットマシンを示す概略正面図であり、図中、１０は、スロットマシンを示すものである。スロットマシン１０は、同図に示すように、四角箱状の筐体１１を有する。前記筐体１１の中央部及び上部には、遊技者側に向かって臨む四角窓状の表示窓１２が形成されている。そして、この中央部の表示窓１２の中央には、三個の回転リール４０（４２）の図柄６１を見ることができる図柄表示窓１３が形成されている。スロットマシン１０の内部には、スロットマシン１０の全体の動作を制御するための制御装置１００が内蔵されている。
【０００４】
スロットマシンで遊技するときは、遊技場で貸し出される専用のコインをマシンの投入口に投入した後、３個のリールを回転させるレバー３０等の操作具を介してリールを回転させ、個々のリールの回転を停止させる手段５０を介して停止させ、停止時におけるリールの絵柄の組み合わせに応じてコインを獲得するようになっている。
【０００５】
こうしたスロットマシン等の遊技場設置遊技機は、その多くは、各部機構の制御、入賞の確率（スロットマシンなら、上記の有効な組み合わせの成立の確率）処理などを含め、その遊技機全体のコントロールが制御装置１００内に配置されたコンピュータの制御のもとで行われる。
【０００６】
このため、コンピュータを使用する遊技機では、マイクロコンピュータを構成するＣＰＵ、およびＲＯＭをはじめとするメモリ等を組み込んだ制御用の回路基板を有する。ＲＯＭには動作を制御するためのプログラムが記憶されている。そのような回路基板を収容した制御装置１００は、図５に示すように遊技機本体内部に取り付けられる。かかる基板を備える遊技機は、遊技機製造メーカーから出荷され、遊技場へ納入・設置されて、その遊技場において上述のサービスの用に供される。
【０００７】
この種の遊技機は所定の法的規制を受け、所管官庁による検査の対象ともなる。その際、プログラムを記憶したＲＯＭが不正に交換されていないかどうかも検査される。プログラムが書き換えられると、法律上許される上限を超えてコインが払い出されることになりかねない。
【０００８】
スロットマシンに使用している主基板ケースを対象とした各種不正工作に対するセキュリティを保護するために、主基板ケースのセーフティロック方式が採用されている。主基板ケースのセーフティロック方式の条件は次のようなものである。
（１）主基板ケース内に収納した主基板部については、樹脂ケースに取り付けたセーフティロックを破壊・開封しなければ触れることができない構造であること。
（２）主基板ケースを一旦セーフティロックし遊技機本体に取り付けた場合、セーフティロックを破壊しない限り、主基板ケースは遊技機本体から絶対に取り出せない構造とする。
（３）セーフティロック方式については次の２つの基本構造から選択する。
【０００９】
ア）　主基板ケースの封印と遊技機本体への固定封印を一緒に行う一体型
【００１０】
イ）　主基板ケースの封印と遊技機本体への固定封印をそれぞれ別個に行う分離型
（４）セーフティロックの開封・封印に際してニッパーとか＋か−のドライバを使用して行えるものとして、特殊な工具を必要としない。
（５）セーフティロックに使用する戻り止めネジ、ピン等については、一旦ロックした場合、破損しない限り容易に取り外せない構造であること。
（６）セーフティロック使用時に、その記録が残せるよう主基板ケースの見やすいところにセーフティロック使用記録用紙を貼り、使用時にその記録が残るようにする。
【００１１】
このような条件を満たすセーフティロック方式を採用することにより、不正行為を排除することができる。この種のセーフティロック方式の主基板ケースを備える制御装置１００として図６に示すものがある。
【００１２】
図６は従来の主基板ケースの三面図であり、図において、制御装置１００は、主基板４を固定する樹脂ケース本体３と、これを密封する樹脂ケース上蓋２を備える。制御装置１００は、遊技機本体に取り付けられたカシメ封印兼用固定金具５に、樹脂ケース上蓋２の突起部分で戻り止めネジ１０３により固定される。戻り止めネジ１０３はネジを締めることはできるが緩めることができない特殊なネジである。前記突起部分は樹脂ケース上蓋２と一体形成されているので、この部分を切断しない限りケースを取り外すことはできない。
【００１３】
図６の主基板ケースの場合、封印は次のようにして行われる。
【００１４】
まず、主基板４を取り付けた状態で、ネジ１０１ａ、１０２ａにより樹脂ケース上蓋２を樹脂ケース本体３に取り付ける。これにより主基板４は密封される。ネジ１０１ａ，１０２ａを緩めることが出来ないので、樹脂ケース上蓋２と樹脂ケース本体３を分離することは不可能になる。
【００１５】
次に、ネジ１０１ｂ、１０２ｂにより制御装置１００をカシメ封印兼用固定金具５にネジ止めし、遊技装置の筐体に取り付ける。ネジ１０１ｂ，１０２ｂも緩めることが出来ないので、制御装置１００を取り外すことは不可能になる。
【００１６】
所轄官庁の立入検査のとき、あるいは障害などによりやむを得ず制御装置１００を取り外すときには、図６の×印の部分を切断し制御装置１００を取り外したり、樹脂ケース上蓋２を取り外す。すなわち、制御装置１００を取り外す場合、ネジ１０１ｂ、１０２ｂ部分の樹脂ケース上蓋２の突起部分を×印の部分で切断する。樹脂ケース上蓋２を取り外す場合、ネジ１０１ａ，１０２ａの同じ部分を切断する。
【００１７】
図６の主基板ケースによれば、通常、制御装置１００やケース２を取り外すことができない。ケースの突起部分を破壊すれば取り外すことができるものの、その場合必ずその痕跡が残り、万一誰かかが不正にケースを開けたとしてもそのことを容易に発見できる。したがって、図６の主基板ケースは前述の条件を満足するものである。
【００１８】
【発明が解決しようとする課題】
従来は主基板のケースを開かないようにするために、戻り止めネジ１０３を使用していたが、このネジは特殊工具を使用することで簡単に開けることができる場合があり、再使用されても外部からは判りにくく、ゴトの対策としては不十分であるという問題点があった。
【００１９】
この発明はかかる課題を解決するためになされたもので、引き抜き難い構造を有するピンを使用し、強引にピンを取り除こうとする場合に履歴を残すことができ、その履歴を容易に確認することができる回路基板ケースを提供することを目的とする。
【００２０】
【課題を解決するための手段】
この発明に係る回路基板ケースは、遊技機に内蔵される遊技用回路基板を収容する回路基板ケースであって、前記回路基板を搭載する基板ケース本体と、この基板ケース本体の上部に載置され、前記基板ケース本体を覆う基板ケース蓋部と、
前記基板ケース本体の下部に設けられ、前記基板ケース本体及び基板ケース蓋部を前記遊技機の筐体に固定する基板ベースと、前記基板ケース本体、基板ケース蓋部及び基板ベースを貫通して一体に固定するカシメピンであって、このカシメピンを引き抜こうとした際にその先端部が折れ得る先端部及び前記基板ケース蓋部を前記基板ベースに向かって押圧する頭部を有するカシメピンとを備える。
【００２１】
前記カシメピンは圧入型で先端にくさび形状のついたピンである（例えば樹脂製）。くさび状の部分で抜き方向に引っ掛かるようにしてカシメ保持力を持たせ、かつ強引に抜こうとすると樹脂ピンの先端部分が折れ、履歴が残る。これらのピンを固定している構造物（板金）を再利用する場合、ピンが残る構造であるが樹脂ピンにすることでニッパーなどで切り落とすことができる。樹脂ピンであれば筐体内部に誤って落としても、基板や電源でショートすることもない。
【００２２】
好ましくは、回路基板ケースは、前記基板ベースに設けられ、前記カシメピンの先端部が折れた際にその先端部を収容するカバーをさらに備える。
【００２３】
好ましくは、前記基板ケース蓋部には前記カシメピンが挿入される開口部が形成され、この開口部の内径は、前記カシメピンの頭部の外径とほぼ等しい。
【００２４】
好ましくは、前記カシメピンの先端部は、先端部中央に切り欠きを有するくさび形形状である。
【００２５】
好ましくは、前記カシメピンの先端部はくさび形形状であり、前記カシメピンの先端部にアンカーが形成されている。
【００２６】
好ましくは、前記カシメピンは、合成樹脂製である。
【００２７】
【発明の実施の形態】
発明の実施の形態１．
【００２８】
図１は、この発明の実施の形態１に係る回路基板ケースの要部を示す分解斜視図であり、図２は、カシメピンを基板ケース蓋部の開口部に挿入した状態を示す概略部分拡大断面図、図３は、カシメピンにより基板ケース蓋部、基板ケース本体及び基板ベースを固定した状態を示す概略部分拡大断面図である。
【００２９】
これらの図において、遊技機例えばスロットマシンに内蔵される遊技用回路基板を収容する回路基板ケース１は、主基板を搭載する基板ケース本体３と、この基板ケース本体３の上部に載置され、基板ケース本体３を覆う基板ケース蓋部２と、前記基板ケース本体３の下部に設けられ、回路基板ケース１を前記遊技機の筐体（図５参照）に固定する基板ベース５と、前記基板ケース本体３、基板ケース蓋部２及び基板ベース５を貫通して一体に固定するカシメピン６を備える。なお、回路基板ケース１内に主基板等を搭載したものが制御装置となる。
【００３０】
カシメピン６は、カシメピン６を引き抜こうとした際に折れ得る先端部６ａ及び基板ケース蓋部２を基板ベース５に向かって押圧する頭部６ｂとを有する。また、カシメピン６の先端部６ａ中央には切り欠き６ｃが形成されており、先端に向かってくさび形の形状を有する。なお、カシメピン６は、望ましくは合成樹脂により作製されている。
【００３１】
カシメピン６が挿入される基板ベース５下部側の開口部５ａ近傍には、カシメピン６の先端部６ａを保護すると共に、先端部６ａが折れた際にその先端部６ａを収容するカバー７が設けられている。このカバー７は、スポット溶接等により基板ベース５に接着することができる。
【００３２】
次に、回路基板ケース１の組立について説明する。
【００３３】
まず、遊技用回路基板を搭載する基板ケース本体３に基板ケース蓋部２を載せ、これらを基板ベース５上に載置する。次に、カシメピン６を基板ケース蓋部２の開口部２ａから挿入する。この時、カシメピン６の先端部６ａには切り欠き６ｃが形成されているため、先端部６ａが縮まるように内側に押されながら、先端部６ａは基板ベース５に到達する。カシメピン６の先端部６ａは、挿入前の状態に復元しようとするため、図３に示すように先端部６ａが広がり、基板ケース本体３、基板ケース蓋部２及び基板ベース５は一体として固定される。
【００３４】
もし、カシメピン６を引き抜く力が作用した場合にもカシメピン６先端部６ａの係合部６ｄが基板ベース５における開口部５ａの開口端部５ｂに係合するため、カシメピン６の引き抜きに対抗することができる。さらに強い力で強引にカシメピン６を引き抜こうとした場合には、係合部６ｄが開口端部５ｂに引っ掛かり先端部６ａが折れ取れる。折れた先端部６ａは、カバー７内に落ち、カバー７内で保持される。従って、もしカシメピン６を引き抜いた場合には、カバー７内のカシメピン６先端部６ａの有無を確認することにより、回路基板ケース１を開けた履歴を残すことができる。
【００３５】
カシメピン６の頭部６ｂの外径ｄと、基板ケース蓋部２における開口部２ａの内径Ｄとは、ほぼ等しいことが望ましい。カシメピン６の頭部６ｂの外径ｄを開口部２ａの内径Ｄと同等程度に大きくすることにより、カシメピン６を引き抜く工具の入る隙間を極力少なくすることによって、カシメピン６を抜き難い回路基板ケース１が得られる。また、カシメピン６を固定している構造物（板金）を再利用する場合、カシメピン６が残る構造であるが、カシメピン６は合成樹脂製であるため、ニッパーなどで切落とすことができる。さらに、カシメピン６が筐体内部に誤って落下させても、基板、電源などで短絡が生じることを防止できる。
【００３６】
なお、カバー７は金属製のカバーを使用した場合について説明したが、その少なくとも一部を透明な合成樹脂で作製することにより、カバー外部から先端部６ａの有無を容易に視認することができる。また、カシメピン６の係合部６ｄ近傍に僅かな切り込みを入れておくことにより、所定の力による引き抜きに対しては対抗することができ、かつ強引な引き抜きに対しては容易に先端部６ａが折れ取れるのを可能とすることができる。さらに、カシメピン６は回路基板ケース１の短手方向片側のみに複数個使用した場合について説明したが、短手方向の両側に複数個使用した場合も同様に適用することができる。
発明の実施の形態２．
【００３７】
発明の実施の形態１では、カシメピン６として、先端部６ａ中央に切り欠き６ｃを有するくさび形形状のカシメピン６を使用した場合について説明した。しかし、本発明はこれに限定されるものではなく、図４に示すように、先端部８ａはくさび形形状であり、先端部８ａにアンカー８ｂが形成されているカシメピン８も発明の実施の形態１と同様に使用できる。カシメピン８を使用した場合、先端部中央に切り欠きがなく先端部近傍まで中実であるため、基板ケース蓋部２、基板ケース本体３及び基板ベース５の固定がより確実となる。
【００３８】
また、カシメピン８もカシメピン６と同様な大きさの頭部８ｃを有し、強い力で強引にカシメピン８を引き抜こうとした場合には、アンカー８ｂが開口端部５ｂに引っ掛かりアンカー８ｂが折れ取れる。折れたアンカー８ｂは、カバー７内に落ち、カバー７内で保持される。従って、もしカシメピン８を引き抜いた場合には、カバー７内に残ったアンカー８ｂの有無を確認することにより、回路基板ケース１を開けた履歴を残すことができる。
【００３９】
本発明は、以上の実施の形態に限定されることなく、特許請求の範囲に記載された発明の範囲内で、種々の変更が可能であり、それらも本発明の範囲内に包含されるものであることは言うまでもない。
【００４０】
【発明の効果】
以上のとおり、本発明によれば、基板ケース本体、基板ケース蓋部及び基板ベースを貫通して一体に固定する引き抜き難いカシメピンを使用し、このカシメピンを引き抜こうとした際にその先端部が折れ得るので、回路基板ケースを開けた履歴を確実に残すことができるという効果を奏する。
【図面の簡単な説明】
【図１】この発明の実施の形態１に係る回路基板ケースの要部を示す分解斜視図である。
【図２】カシメピンを基板ケース蓋部の開口部に挿入した状態を示す概略部分拡大断面図である。
【図３】カシメピンにより基板ケース蓋部、基板ケース本体及び基板ベースを固定した状態を示す概略部分拡大断面図である。
【図４】この発明の実施の形態２に係るカシメピンの要部概略断面図である。
【図５】（ａ）はスロットマシンを示す概略正面図であり、（ｂ）はスロットマシンの要部概略側断面図である。
【図６】従来の主基板ケースの三面図であり、（ａ）は主基板ケースの上面図、（ｂ）は同右側面断面図、（ｃ）は同下側側面断面図である。
【符号の説明】
１　　回路基板ケース
２　　基板ケース本体
３　　基板ケース本体
４　　主基板
５　　基板ベース
５ａ　開口部
６　　カシメピン
６ａ　先端部
６ｂ　頭部
６ｃ　切り欠き
６ｄ　係合部
７　　カバー
８　　カシメピン
８ａ　先端部
８ｂ　アンカー
８ｃ　頭部
【図１】
2004065791.tif 000003
【図２】
2004065791.tif 000004
【図３】
2004065791.tif 000005
【図４】
2004065791.tif 000006
【図５】
2004065791.tif 000007
【図６】
2004065791.tif 000008